(57)【要約】【課題】現時点の累積活動量が目標活動量に対してどの程度達成できているのかを使用者に容易にわからせる。【解決手段】体動検出部１の加速度センサ１０は身体の体動を検出する。加速度センサ１０の検出結果である加速度信号が入力されると、マイコン６は、メモリ４に記憶されている目標活動量を設定するとともに、入力された加速度信号に基づいて活動量を計測する。その後、マイコン６は、計測した現時点までの活動量を累積して現時点の累積活動量とする。表示部５はマイコン６から目標活動量及び現時点の累積活動量の情報が入力されると、目標活動量及び現時点の累積活動量を液晶画面に表示する。【選択図】図１
2008246175.tif 000002
【特許請求の範囲】
【請求項１】
身体の体動を検出する加速度センサと、
前記加速度センサの検出結果に基づいて活動量を計測する計測手段と、
目標活動量を設定する設定手段と、
前記計測手段で計測された現時点までの活動量を累積して現時点の累積活動量とする累積手段と、
前記目標活動量に対する前記現時点の累積活動量の達成度合いを知らせるための情報を表示する表示手段と
を備えることを特徴とする活動量計。
【請求項２】
前記目標活動量と前記現時点の累積活動量との差分である不足活動量を補うための運動に関する情報を記憶する記憶手段と、
前記目標活動量に対して前記現時点の累積活動量が不足している場合に前記不足活動量を演算し、当該演算した不足活動量に応じて前記不足活動量を補うための運動ごとに運動時間を設定する不足演算手段と
を備え、
前記表示手段が、前記不足活動量を補うための運動及び運動時間を表示する
ことを特徴とする請求項１記載の活動量計。
【請求項３】
前記不足活動量を補うための運動が他動運動であることを特徴とする請求項２記載の活動量計。
【請求項４】
前記設定手段が複数の期間単位ごとに目標活動量を設定することを特徴とする請求項１乃至３のいずれか１項に記載の活動量計。
【請求項５】
性別及びウエスト径の入力を可能とする入力手段を備え、
前記設定手段が、前記入力手段で入力された性別及びウエスト径の少なくとも一方を用いて前記目標活動量を設定する
ことを特徴とする請求項１乃至４のいずれか１項に記載の活動量計。
【請求項６】
内臓脂肪量の入力を可能とする入力手段を備え、
前記設定手段が、前記入力手段で入力された内臓脂肪量を用いて前記目標活動量を設定する
ことを特徴とする請求項１乃至４のいずれか１項に記載の活動量計。
【発明の詳細な説明】
【技術分野】
【０００１】
本発明は、使用者の運動強度を計測する活動量計に関するものである。
【背景技術】
【０００２】
使用者の運動強度を計測する従来の活動量計として、加速度センサ及びマイコンを備え、例えば腰部分のベルトなどに取り付けることで身体に装着し、加速度センサが身体の体動を検出し、加速度センサの検出結果に基づいてマイコンが活動量を計算するものがある。
【０００３】
上記活動量の単位として、厚生労働省によってＥＸが定義されている。活動量（ＥＸ）は運動強度（Ｍｅｔｓ）と時間（ｈｏｕｒ）の積である。例えば歩行強度が約３Ｍｅｔｓであるといわれているので、歩行を２０分間（１／３時間）行うと１ＥＸとなる。他にも活動量が１ＥＸとなる場合として、ボーリングやバレーボールを２０分間行った場合、体操やゴルフ、卓球、バドミントンを１５分間行った場合、軽いジョギングやバスケットボール、エアロビクス、テニスを１０分間行った場合などがある。また、上記のような運動を行った場合だけでなく、歩行や床掃除、子供の世話、洗車を２０分間行った場合、自転車や庭仕事、子供と遊ぶことを１５分間行った場合、家具の移動や階段の上り下り、雪かきを１０分間行った場合、重い荷物の移動を７〜８分間行った場合といった日常活動時にも得られる。上記のように定義された活動量を１週間に２３ＥＸ以上得ることを目標とする指針がある。単純に計算すると、１日あたり３．３ＥＸの活動量を得るための運動をすればよいことになる。
【０００４】
従来の活動量計は運動強度を測定することができるので、この運動強度を用いて活動量を求め、求めた活動量を容易に表示することができる。
【０００５】
また、特許文献１には、従来の活動量計として、活動量に基づいて加速度の検出周期を変更させるものが開示されている。
【特許文献１】特開２００６−２８８９７０号公報（段落００２２〜００４１及び図１）
【発明の開示】
【発明が解決しようとする課題】
【０００６】
しかしながら、上記従来の活動量計には、使用者にとって活動量の単位ＥＸに対するなじみが薄いことから、目標活動量に対する現時点の累積活動量の不足量がわかりにくいという問題があった。
【０００７】
本発明は上記の点に鑑みて為されたものであり、その目的は、現時点の累積活動量が目標活動量に対してどの程度まで達成しているのかを使用者に容易にわからせることができる活動量計を提供することにある。
【課題を解決するための手段】
【０００８】
請求項１の発明は、身体の体動を検出する加速度センサと、前記加速度センサの検出結果に基づいて活動量を計測する計測手段と、目標活動量を設定する設定手段と、前記計測手段で計測された現時点までの活動量を累積して現時点の累積活動量とする累積手段と、前記目標活動量に対する前記現時点の累積活動量の達成度合いを知らせるための情報を表示する表示手段とを備えることを特徴とする。
【０００９】
請求項２の発明は、請求項１の発明において、前記目標活動量と前記現時点の累積活動量との差分である不足活動量を補うための運動に関する情報を記憶する記憶手段と、前記目標活動量に対して前記現時点の累積活動量が不足している場合に前記不足活動量を演算し、当該演算した不足活動量に応じて前記不足活動量を補うための運動ごとに運動時間を設定する不足演算手段とを備え、前記表示手段が、前記不足活動量を補うための運動及び運動時間を表示することを特徴とする。
【００１０】
請求項３の発明は、請求項２の発明において、前記不足活動量を補うための運動が他動運動であることを特徴とする。
【００１１】
請求項４の発明は、請求項１乃至３のいずれか１項の発明において、前記設定手段が複数の期間単位ごとに目標活動量を設定することを特徴とする。
【００１２】
請求項５の発明は、請求項１乃至４のいずれか１項の発明において、性別及びウエスト径の入力を可能とする入力手段を備え、前記設定手段が、前記入力手段で入力された性別及びウエスト径の少なくとも一方を用いて前記目標活動量を設定することを特徴とする。
【００１３】
請求項６の発明は、請求項１乃至４のいずれか１項の発明において、内臓脂肪量の入力を可能とする入力手段を備え、前記設定手段が、前記入力手段で入力された内臓脂肪量を用いて前記目標活動量を設定することを特徴とする。
【発明の効果】
【００１４】
請求項１の発明によれば、表示手段に表示された達成度合いを知らせるための情報から使用者は目標活動量に対する現時点の達成度合いを知ることができる。
【００１５】
請求項２の発明によれば、必要な運度をどの程度すれば目標を達成することができるかを使用者に知らせることができるので、使用者は目標を達成しやすくなる。
【００１６】
請求項３の発明によれば、使用者自らが動かなくても不足活動量を補うことが可能な他動運動を使用者に知らせることができるので、使用者は不足活動量を容易に補うことができ、目標を達成しやすくなる。
【００１７】
請求項４の発明によれば、使用者のライフスタイルに適した目標活動量を用いることができる。
【００１８】
請求項５の発明によれば、使用者の性別やウエスト径を用いることによって、各使用者に適した目標活動量を設定することができる。
【００１９】
請求項６の発明によれば、使用者ごとに異なる内臓脂肪量を用いることによって、各使用者に適した目標活動量を設定することができる。
【発明を実施するための最良の形態】
【００２０】
（実施形態１）
まず、実施形態１の活動量計の構成について図１，２を用いて説明する。この活動量計は使用者の運動強度を計測するものであり、図１に示すように、身体の体動を検出する加速度センサ１０を有する体動検出部１と、使用者が設定入力するための複数の操作ボタン２０〜２２（図２（ａ）参照）を有するスイッチ部２と、外部機器（図示せず）との間で通信を行うための通信インタフェース（図１の「通信Ｉ／Ｆ」）３と、後述の累積活動量などのデータを記憶するメモリ４と、後述の目標活動量や現時点の累積活動量を表示する表示部５とを備えている。また、活動量計は、機器の中枢をなすものとして、体動検出部１の検出結果に基づいて活動量を計測する処理と、スイッチ部２で設定入力されたデータを取り込む処理と、通信インタフェース３を通じてのデータの送受信処理と、メモリ４に対するデータの読み書き処理と、表示部５の表示に対する処理とを行うマイコン６を備えている。さらに、この活動量計は、電池７０によって各部１，３〜６に電力を供給する電源部７と、各部１〜７を内蔵する本体ケース８（図２参照）とを備えている。
【００２１】
図２（ｂ）に示す本体ケース８の背面８０の上端側には、例えばベルトなどを挟持して身体に装着するためのフック８１が設けられている。このフック８１は背面８０とともに着衣を挟持する挟持手段を構成する。
【００２２】
図１に示す体動検出部１の加速度センサ１０は３軸加速度センサであり、ｘ，ｙ，ｚの各軸方向の加速度を検出する。この体動検出部１は加速度センサ１０の他にも、加速度センサ１０の検出結果である加速度信号を増幅するアンプ部（図１の「ＡＭＰ」）１１を備えている。このアンプ部１１は、増幅した加速度信号をマイコン６に出力する。
【００２３】
スイッチ部２は、図２に示すように日付や時刻を設定する日付セットモードに切り替えるためのセットボタン２０と、性別を入力設定する設定モードに切り替えるための設定ボタン２１と、表示部５の表示内容を切り替えるための切替ボタン２２とを備えている。
【００２４】
図１に示すメモリ４には、マイコン６の処理によって、目標活動量の初期値が記憶されている。実施形態１では、目標活動量の初期値として１日の目標活動量３．３ＥＸが記憶されている。また、メモリ４には、マイコン６で求められた活動量や累積活動量なども記憶されている。
【００２５】
表示部５は、図２（ａ）に示すように液晶画面５０を備え、使用者の性別を表示エリア５１に表示し、マイコン６（図１参照）から後述の目標活動量及び現時点の累積活動量の情報が入力されると、目標活動量に対する現時点の累積活動量の達成度合いを知らせるための情報として目標活動量を表示エリア５２に、現時点の累積活動量を表示エリア５３に表示する。
【００２６】
図１に示すマイコン６は、使用者がセットボタン２０（図２（ａ）参照）を操作したときに通常動作モードから日付セットモードに切り替えて、日付や時刻を入力する画面を表示部５の液晶画面５０に表示させる。使用者が液晶画面５０を見ながら各ボタン２０〜２２を操作して日付や時刻を入力すると、マイコン６は、入力された日付や時刻をメモリ４に記憶させ、その後、日付セットモードから通常動作モードに切り替える。また、マイコン６は、使用者が設定ボタン２１（図２（ａ）参照）を操作したときに通常動作モードから設定モードに切り替えて、使用者の性別を選択する画面を表示部５の液晶画面５０に表示させる。使用者が液晶画面５０を見ながら各ボタン２０〜２２を操作して自分の性別を選択すると、マイコン６は、選択された性別をメモリ４に記憶させ、その後、設定モードから通常動作モードに切り替える。
【００２７】
また、マイコン６は、メモリ４に記憶されている目標活動量の初期値３．３ＥＸをそのまま目標活動量に設定する。マイコン６は、体動検出部１からの加速度信号が入力されると、この加速度信号をデジタル値に変換し、変換したデジタル値を用いて活動量を計測する。その後、マイコン６はメモリ４に記憶されている累積活動量に今回計測の活動量を加えて現時点の累積活動量を求める。メモリ４に記憶されていたこれまでの累積活動量は、マイコン６で求められた現時点の累積活動量に更新され、新しい累積活動量がメモリ４に記憶される。その後、マイコン６は目標活動量及び現時点の累積活動量の情報を表示部５に出力する。
【００２８】
次に、実施形態１の動作について図１，３を用いて説明する。目標活動量としては、メモリ４に記憶されている初期値が設定されている。まず、電池７０が挿入されると、電源部７は各部１，３〜６への電力供給を開始する。マイコン６は各ポートの設定やメモリ４を初期化する処理（イニシャライズ処理）を行う（ステップＳ１）。このとき、日付や時刻の設定も行う。イニシャライズ処理を行った後、マイコン６は体動検出部１からの加速度信号をデジタル値に変換し、活動量を計算する（ステップＳ２）。その後、表示部５が目標活動量及び現時点の累積活動量を液晶画面５０（図２（ａ）参照）に表示する（ステップＳ３）。また、現時点の累積活動量をメモリ４に記憶させる（ステップＳ４）。その後、ステップＳ２に戻る。
【００２９】
以上、実施形態１によれば、達成度合いを知らせるための情報として表示部５の液晶画面５０に表示された目標活動量及び現時点の累積活動量から使用者は目標活動量に対する現時点の達成度合いを知ることができる。
【００３０】
（実施形態２）
実施形態２の活動量計は、１日の目標活動量に対する達成率と１週間の目標活動量に対する達成率とを切り替えて表示することを可能とするものである。
【００３１】
実施形態２の活動量計の構成について図１，４を用いて説明する。この活動量計は、図１に示すように、体動検出部１と、スイッチ部２と、通信インタフェース３と、電源部７と、本体ケース８（図４参照）とを実施形態１と同様に備えているが、実施形態１にはない以下に記載の特徴部分を有する。
【００３２】
実施形態２のメモリ４には、１日の目標活動量の初期値３．３ＥＸと１週間の目標活動量の初期値２３．０ＥＸとが記憶されている。なお、実施形態２のメモリ４は上記以外の点において実施形態１のメモリ４と同様である。
【００３３】
実施形態２のマイコン６は、メモリ４に記憶されている１日の目標活動量の初期値３．３ＥＸをそのまま１日の目標活動量に設定し、１週間の目標活動量の初期値２３．０ＥＸをそのまま１週間の目標活動量に設定する。このマイコン６は、体動検出部１からの加速度信号が入力されると、実施形態１と同様に活動量を計測する。その後、マイコン６はメモリ４に記憶されている１日の累積活動量に今回計測の活動量を加えて現時点の１日の累積活動量を求める。さらに、マイコン６は、１日の目標活動量に対する現時点の１日の累積活動量の比率である１日の達成率を求める。例えば１日の目標活動量が３．３ＥＸ、現時点の１日の累積活動量が２．５ＥＸである場合、１日の達成率は（２．５ＥＸ／３．３ＥＸ）×１００＝７６％となる。
【００３４】
同様に、マイコン６はメモリ４に記憶されている１週間の累積活動量に今回計測の活動量を加えて現時点の１週間の累積活動量を求め、１週間の目標活動量に対する現時点の１週間の累積活動量の比率である１週間の達成率を求める。例えば１週間の目標活動量が２３．０ＥＸ、現時点の累積活動量が１７．１ＥＸである場合、１週間の達成率は（１７．１ＥＸ／２３．０ＥＸ）＝７４％となる。
【００３５】
これまでメモリ４に記憶されていた１日の累積活動量及び１週間の累積活動量は、マイコン６で求められた現時点の１日の累積活動量及び１週間の累積活動量に更新され、更新された１日の累積活動量及び１週間の累積活動量がメモリ４に記憶される。
【００３６】
マイコン６は１日の目標活動量、現時点の１日の累積活動量及び１日の達成率の情報とともに、１週間の目標活動量、現時点の１週間の累積活動量及び１週間の達成率の情報を表示部５に出力し、使用者が切替ボタン２２（図４（ａ）参照）を操作するごとに表示部５に対して図４（ａ）の画面と図４（ｂ）の画面とを切り替えて表示するように制御する。なお、実施形態２のマイコン６は上記以外の点において実施形態１のマイコン６と同様である。
【００３７】
実施形態２の表示部５は、マイコン６から目標活動量、現時点の累積活動量及び達成率の情報が入力されると、図４（ａ）に示すように１日の目標活動量を液晶画面５０ａの表示エリア５２に、現時点の累積活動量を表示エリア５３に、達成率を表示エリア５４に表示する。
【００３８】
ここで、使用者が切替ボタン２２を操作すると、表示部５は液晶画面５０ａを図４（ａ）の画面から図４（ｂ）の画面に切り替える。表示部５は、１週間の目標活動量を表示エリア５２に、週初めから現時点までの累積活動量を表示エリア５３に、達成率を表示エリア５４に表示する。休日にまとめて積極的に運動する人などには週単位で管理するほうが適している。なお、実施形態２の表示部５は上記以外の点において実施形態１の表示部５と同様である。
【００３９】
以上、実施形態２によれば、使用者のライフスタイルに適した目標活動量を用いることができる。
【００４０】
また、実施形態２においても、達成度合いを知らせるための情報として表示部５の液晶画面５０ａに表示された目標活動量、現時点の累積活動量及び達成率から、実施形態１と同様に使用者は目標活動量に対する現時点の達成度合いを知ることができる。
【００４１】
（実施形態３）
実施形態３の活動量計は、目標活動量と現時点の累積活動量の差分である不足活動量を補うために必要な運動を表示するものである。
【００４２】
実施形態３の活動量計の構成について図１，５を用いて説明する。この活動量計は、図１に示すように、体動検出部１と、スイッチ部２と、通信インタフェース３と、電源部７と、本体ケース８（図５参照）とを実施形態２と同様に備えているが、実施形態２にはない以下に記載の特徴部分を有する。
【００４３】
実施形態３のメモリ４には、目標活動量と現時点の累積活動量との差分である不足活動量を補うための運動に関する情報を記憶している。不足活動量を補うための運動としては、歩行やジョギングなどの自動運動、又は特定の他動運動器具を用いた他動運動がある。なお、実施形態３のメモリ４は上記以外の点において実施形態２のメモリ４と同様である。
【００４４】
実施形態３のマイコン６は、目標活動量に対して現時点の累積活動量が不足している場合に不足活動量を演算し、演算した不足活動量に応じて不足活動量を補うための運動ごとに運動時間を設定する。例えば歩行１６分やジョギング１２分などの自動運動及び運動時間、他動運動器具（図５の「○○○」（他動運動器具名）の部分）１５分などの他動運動及び運動時間を設定する。なお、実施形態３のマイコン６は上記以外の点において実施形態２のマイコン６と同様である。
【００４５】
実施形態３の表示部５は、マイコン６から目標活動量、現時点の累積活動量、不足活動量及び不足活動量を補うための運動の情報が入力されると、図５に示すように目標活動量を液晶画面５０ｂの表示エリア５２ａに、現時点の累積活動量を表示エリア５３ａに、不足活動量を表示エリア５５に表示するとともに、目標活動量に対して現時点の累積活動量が不足している場合に不足活動量を補うための運動及び運動時間を表示エリア５６に表示する。なお、実施形態３の表示部５は上記以外の点において実施形態２の表示部５と同様である。
【００４６】
以上、実施形態３によれば、実施形態２と同様の効果を得ることができるとともに、必要な運度をどの程度すれば目標を達成することができるかを使用者に知らせることができるので、使用者は目標を達成しやすくなる。
【００４７】
また、使用者自らが動かなくても不足活動量を補うことが可能な他動運動を使用者に知らせることができるので、使用者は不足活動量を容易に補うことができ、目標を達成しやすくなる。
【００４８】
（実施形態４）
実施形態４の活動量計は、使用者の性別やウエスト径を考慮して目標活動量を設定するものである。
【００４９】
まず、実施形態４の活動量計の構成について図１，６を用いて説明する。この活動量計は、図１に示すように、体動検出部１と、スイッチ部２と、通信インタフェース３と、メモリ４と、電源部７と、本体ケース８（図６参照）とを実施形態３と同様に備えているが、実施形態３にはない以下に記載の特徴部分を有する。
【００５０】
実施形態４のマイコン６は、使用者が設定ボタン２１（図６参照）を操作したときに通常動作モードから設定モードに切り替えて、使用者の性別を選択する項目とともにウエスト径を入力する項目を有する画面を表示部５の液晶画面５０ｃに表示させる。使用者が液晶画面５０ｃを確認しながら各ボタン２０〜２２を操作して自分の性別を選択し、ウエスト径を入力すると、マイコン６は、選択された性別及び入力されたウエスト径を用いて目標活動量を設定する。その後、設定モードから通常動作モードに切り替える。なお、実施形態４のマイコン６は上記以外の点において実施形態３のマイコン６と同様である。
【００５１】
実施形態４の表示部５は、図６に示すように目標活動量、現時点の累積活動量、不足活動量並びに不足活動量を補うための運動及び運動時間を表示エリア５１，５２ａ，５３ａ，５５，５６とともに、使用者のウエスト径を液晶画面５０ｃの表示エリア５７に表示する。なお、実施形態４の表示部５は上記以外の点において実施形態３の表示部５と同様である。
【００５２】
次に、実施形態４における目標活動量の設定動作について図１，７を用いて説明する。ここでは、１日の目標活動量の初期値が３．３ＥＸ、１週間の目標活動量の初期値が２３．０ＥＸである（ステップＳ１１）。まず、使用者による設定ボタン２１の操作によって設定モードとなり、使用者の性別が入力される（ステップＳ１２）。マイコン６は男性か女性かを判断し（ステップＳ１３）、男性の場合、ウエスト基準値Ｗ０を８５ｃｍとし（ステップＳ１４）、女性の場合、ウエスト基準値Ｗ０を９０ｃｍとする（ステップＳ１５）。続いて、ウエスト径Ｗが入力される（ステップＳ１６）。入力されたウエスト径Ｗとウエスト基準値Ｗ０とを比較する（ステップＳ１７）。入力されたウエスト径Ｗがウエスト基準値Ｗ０以下である場合、マイコン６は１日の目標活動量の初期値をそのまま１日の目標活動量とし、１週間の目標活動量の初期値をそのまま１週間の目標活動量として設定を終了する。これに対して、入力されたウエスト径Ｗがウエスト基準値Ｗ０を超える場合、マイコン６はウエスト基準値Ｗ０に対する入力されたウエスト径Ｗの比率Ｗ／Ｗ０を求め、この比率Ｗ／Ｗ０と１週間の目標活動量の初期値との積を１週間の目標活動量に設定して終了する（ステップＳ１８）。例えば入力されたウエスト径Ｗが９３ｃｍ、性別が男性である場合、比率Ｗ／Ｗ０は９３／８５＝１．１となり、この比率１．１を初期値２３．０ＥＸにかけて、１週間の目標活動量を２５．１ＥＸに設定する。この１週間の目標活動量を７で割って１日の目標活動量３．６ＥＸに設定する。
【００５３】
以上、実施形態４によれば、実施形態３と同様の効果を得ることができるとともに、使用者の性別やウエスト径を用いることによって、各使用者に適した目標活動量を設定することができる。
【００５４】
なお、実施形態４の変形例として、マイコン６は、設定ボタン２１で入力された性別及びウエスト径の両方を用いるのではなく、少なくとも一方を用いて目標活動量を設定するものであってもよい。
【００５５】
（実施形態５）
実施形態５の活動量計は、使用者の内臓脂肪量を考慮して目標活動量を設定するものである。
【００５６】
まず、実施形態５の活動量計の構成について図１，８を用いて説明する。この活動量計は、図１に示すように、体動検出部１と、スイッチ部２と、通信インタフェース３と、メモリ４と、電源部７と、本体ケース８（図８参照）とを実施形態３と同様に備えているが、実施形態３にはない以下に記載の特徴部分を有する。
【００５７】
実施形態５のマイコン６は、使用者が設定ボタン２１（図８参照）を操作したときに通常動作モードから設定モードに切り替えて、使用者の性別を選択する項目とともに内臓脂肪量を入力する項目を有する画面を表示部５の液晶画面５０ｄに表示させる。使用者が液晶画面５０ｄを見ながら各ボタン２０〜２２を操作して自分の内臓脂肪量を入力すると、マイコン６は、入力された内臓脂肪量を用いて目標活動量を設定する。内臓脂肪量は例えばＣＴやインピーダンス計測などの他の手段で計測されたものである。なお、実施形態５のマイコン６は上記以外の点において実施形態３のマイコン６と同様である。
【００５８】
実施形態５の表示部５は、図８に示すように目標活動量、現時点の累積活動量、不足活動量並びに不足活動量を補うための運動及び運動時間を液晶画面５０ｄの表示エリア５１，５２ａ，５３ａ，５５，５６に表示するとともに、使用者の内臓脂肪量（内臓脂肪面積）を表示エリア５８に表示する。なお、実施形態５の表示部５は上記以外の点において実施形態３の表示部５と同様である。
【００５９】
次に、実施形態５における目標活動量の設定動作について図１，９を用いて説明する。ここでは、内臓脂肪面積基準値が１００ｃｍ２である。また、１日の目標活動量の初期値が３．３ＥＸ、１週間の目標活動量の初期値が２３．０ＥＸである（ステップＳ２１）。まず、使用者による設定ボタン２１の操作によって設定モードとなり、使用者の内臓脂肪面積Ｓが入力される（ステップＳ２２）。マイコン６は、入力された内臓脂肪面積Ｓと基準値１００ｃｍ２とを比較する（ステップＳ２３）。入力された内臓脂肪面積Ｓが１００ｃｍ２以下である場合、マイコン６は１日の目標活動量の初期値をそのまま１日の目標活動量とし、１週間の目標活動量の初期値をそのまま１週間の目標活動量として設定を終了する。これに対して、入力された内臓脂肪面積Ｓが１００ｃｍ２を超える場合、マイコン６は基準値に対する入力された内臓脂肪面積Ｓの比率Ｓ／１００を求め、この比率Ｓ／１００と１週間の目標活動量の初期値との積を１週間の目標活動量に設定して終了する（ステップＳ２４）。例えば入力された内臓脂肪面積Ｓが１２０ｃｍ２である場合、比率は１２０／１００＝１．２となり、この比率１．２を初期値２３．０ＥＸにかけて、１週間の目標活動量を２７．６ＥＸに設定する。この１週間の目標活動量を７で割って１日の目標活動量３．９ＥＸに設定する。
【００６０】
以上、実施形態５によれば、実施形態３と同様の効果を得ることができるとともに、使用者ごとに異なる内臓脂肪量を用いることによって、各使用者に適した目標活動量を設定することができる。
【図面の簡単な説明】
【００６１】
【図１】実施形態１〜５の内部構成を示すブロック図である。
【図２】実施形態１を示し、（ａ）が正面図、（ｂ）が側面図である。
【図３】同上の動作を示すフローチャートである。
【図４】実施形態２を示し、（ａ）が１日単位の場合の正面図、（ｂ）が１週間単位の場合の正面図である。
【図５】実施形態３の正面図である。
【図６】実施形態４の正面図である。
【図７】同上の動作を示すフローチャートである。
【図８】実施形態５の正面図である。
【図９】同上の動作を示すフローチャートである。
【符号の説明】
【００６２】
１  体動検出部
１０  加速度センサ
２  スイッチ部
４  メモリ
５  表示部
６  マイコン
【図１】
2008246175.tif 000003
【図２】
2008246175.tif 000004
【図３】
2008246175.tif 000005
【図４】
2008246175.tif 000006
【図５】
2008246175.tif 000007
【図６】
2008246175.tif 000008
【図７】
2008246175.tif 000009
【図８】
2008246175.tif 000010
【図９】
2008246175.tif 000011